(57)【要約】【課題】未設定の機能に関する操作を容易に行うことが可能な表示装置を提供する。【解決手段】簡易操作画面状態分析部２５４は、簡易操作画面ＤＢ２３４に記憶された機能情報に含まれる設定状態情報に基づいて、簡易操作画面においてどの機能が設定されたかを判断し、判断結果に関する情報を通常操作画面配置部２５６に対して出力する。通常操作画面配置部２５６は、簡易操作画面状態分析部２５４からの情報と、通常操作画面ＤＢ２６２に記憶された優先順位情報とに基づいて、通常操作画面の応用設定領域に表示される操作用画像の配置位置を変更するための処理を行い、変更された配置に関する情報を、通常操作画面表示制御部２６０に対して出力する。通常操作画面表示制御部２６０は、通常操作画面配置部２５６からの情報に基づいて、画像位置情報を更新し、通常操作画面を表示するための処理を行う。【選択図】図４
2011044011.tif 000002
【特許請求の範囲】
【請求項１】
複数の機能に関する設定についての操作を行うための複数の操作用画像を含む第１の操作画面を表示する第１表示手段と、
前記複数の機能のうちの一部の機能に関する設定についての操作を行うための操作用画像を含む第２の操作画面を表示する第２表示手段と、
前記第１の操作画面と前記第２の操作画面との表示を切り替える切替手段と、
前記切替手段によって前記第２の操作画面から前記第１の操作画面に表示が切り替えられた場合に、前記第１表示手段によって表示される第１の操作画面上に、前記第２表示手段によって表示される第２の操作画面を用いて設定された機能以外の機能に関する操作用画像を表示するように制御する表示制御手段と
を有する表示装置。
【請求項２】
前記第１表示手段によって第１の操作画面上に複数の操作用画像が表示される順位を、前記複数の操作用画像に関する複数の機能ごとに設定する順位設定手段
をさらに有し、
前記表示制御手段は、設定された機能以外の機能であって前記順位の高い機能を、前記第１表示手段によって表示される第１の操作画面上に優先的に表示するように制御する
請求項１に記載の表示装置。
【請求項３】
前記順位設定手段は、使用者の操作に応じて順位を設定する
請求項２に記載の表示装置。
【請求項４】
前記順位設定手段は、前記機能が設定された履歴に基づいて、順位を設定する
請求項２に記載の表示装置。
【請求項５】
前記第１表示手段によって表示される第１の操作画面は、
前記複数の機能の内の所定の機能に関する操作用画像が表示される第１の領域と、
前記第１の領域に表示される操作用画像以外の複数の操作用画像が表示される第２の領域と
を含み、
前記第２表示手段によって表示される第２の操作画面は、前記第１の領域に表示される前記操作用画像に関する機能に対応する操作用画像を含み、
前記第２表示手段によって表示される第２の操作画面を用いて機能が設定された後、前記第１表示手段によって第１の操作画面が表示される場合に、前記第１の領域を表示させないように設定する表示領域設定手段
をさらに有する請求項１から４のいずれかに記載の表示装置。
【請求項６】
前記制御手段は、前記切替手段によって前記第２の操作画面から前記第１の操作画面に表示が切り替えられた場合に、前記第１表示手段によって表示される第１の操作画面上に、前記第２表示手段によって表示される第２の操作画面を用いて設定可能な機能以外の機能に関する操作用画像を表示するように制御する
請求項１から４のいずれかに記載の表示装置。
【請求項７】
画像形成装置本体と、
前記画像形成装置本体の複数の機能に関する設定についての操作を行うための複数の操作用画像を含む第１の操作画面を表示する第１表示手段と、
前記複数の機能のうちの一部の機能に関する設定についての操作を行うための操作用画像を含む第２の操作画面を表示する第２表示手段と、
前記第１の操作画面と前記第２の操作画面との表示を切り替える切替手段と、
前記切替手段によって前記第２の操作画面から前記第１の操作画面に切り替えられた場合に、前記第１表示手段によって表示される第１の操作画面上に、前記第２表示手段によって表示される第２の操作画面を用いて設定された機能以外の機能に関する操作用画像を表示するように制御する表示制御手段と
を有する画像形成装置。
【請求項８】
複数の機能に関する設定についての操作を行うための複数の操作用画像を含む第１の操作画面を表示する第１表示ステップと、
前記複数の機能のうちの一部の機能に関する設定についての操作を行うための操作用画像を含む第２の操作画面を表示する第２表示ステップと、
前記第１の操作画面と前記第２の操作画面との表示を切り替える切替ステップと、
前記切替手段によって前記第２の操作画面から前記第１の操作画面に切り替えられた場合に、前記第１表示手段によって表示される第１の操作画面上に、前記第２表示手段によって表示される第２の操作画面を用いて設定された機能以外の機能に関する操作用画像を表示するように制御する表示制御ステップと
をコンピュータに実行させる表示プログラム。
【発明の詳細な説明】
【技術分野】
【０００１】
本発明は、表示装置、画像形成装置および表示プログラムに関する。
【背景技術】
【０００２】
特許文献１は、画像形成装置のアイコンやキーを表示するとともに、利用者からの操作により動作条件の設定を受け付ける操作表示ユニットであって、アイコン等を表示するタッチパネルと、所定のアイコン等を表示する基本画面と、この基本画面に表示されている所定の動作条件項目よりも少ない数のアイコン等を表示する簡単画面とを切り換えてタッチパネルに表示する操作表示ユニットを開示する。
特許文献２は、一般的な操作・設定メニューを表示する通常表示画面と、特定の操作・設定メニューのみを拡大表示する簡易表示画面との切替表示が可能な液晶タッチパネルを備える操作部を開示する。
【先行技術文献】
【特許文献】
【０００３】
【特許文献１】特開２００７−１８１９９３号公報
【特許文献２】特開２００６−１９１３２８号公報
【発明の概要】
【発明が解決しようとする課題】
【０００４】
本発明の目的は、本構成を有していない場合と比較して、未設定の機能に関する操作を容易に行うことが可能な表示装置を提供することである。
【課題を解決するための手段】
【０００５】
請求項１にかかる本発明は、複数の機能に関する設定についての操作を行うための複数の操作用画像を含む第１の操作画面を表示する第１表示手段と、前記複数の機能のうちの一部の機能に関する設定についての操作を行うための操作用画像を含む第２の操作画面を表示する第２表示手段と、前記第１の操作画面と前記第２の操作画面との表示を切り替える切替手段と、前記切替手段によって前記第２の操作画面から前記第１の操作画面に表示が切り替えられた場合に、前記第１表示手段によって表示される第１の操作画面上に、前記第２表示手段によって表示される第２の操作画面を用いて設定された機能以外の機能に関する操作用画像を表示するように制御する表示制御手段とを有する表示装置である。
【０００６】
請求項２にかかる本発明は、前記第１表示手段によって第１の操作画面上に複数の操作用画像が表示される順位を、前記複数の操作用画像に関する複数の機能ごとに設定する順位設定手段をさらに有し、前記表示制御手段は、設定された機能以外の機能であって前記順位の高い機能を、前記第１表示手段によって表示される第１の操作画面上に優先的に表示するように制御する請求項１に記載の表示装置である。
【０００７】
請求項３にかかる本発明は、前記順位設定手段は、使用者の操作に応じて順位を設定する請求項２に記載の表示装置である。
【０００８】
請求項４にかかる本発明は、前記順位設定手段は、前記機能が設定された履歴に基づいて、順位を設定する請求項２に記載の表示装置である。
【０００９】
請求項５にかかる本発明は、前記第１表示手段によって表示される第１の操作画面は、前記複数の機能の内の所定の機能に関する１つ以上の操作用画像が表示される第１の領域と、前記第１の領域に表示される操作用画像以外の複数の操作用画像が表示される第２の領域とを含み、前記第２表示手段によって表示される第２の操作画面は、前記第１の領域に表示される前記操作用画像に関する機能に対応する操作用画像を含み、前記第２表示手段によって表示される第２の操作画面を用いて機能が設定された後、前記第１表示手段によって第１の操作画面が表示される場合に、前記第１の領域を表示させないように設定する表示領域設定手段をさらに有する請求項１から４のいずれかに記載の表示装置である。
また、請求項６にかかる本発明は、前記制御手段は、前記切替手段によって前記第２の操作画面から前記第１の操作画面に表示が切り替えられた場合に、前記第１表示手段によって表示される第１の操作画面上に、前記第２表示手段によって表示される第２の操作画面を用いて設定可能な機能以外の機能に関する操作用画像を表示するように制御する請求項１から４のいずれかに記載の表示装置である。
【００１０】
請求項７にかかる本発明は、画像形成装置本体と、前記画像形成装置本体の複数の機能に関する設定についての操作を行うための複数の操作用画像を含む第１の操作画面を表示する第１表示手段と、前記複数の機能のうちの一部の機能に関する設定についての操作を行うための操作用画像を含む第２の操作画面を表示する第２表示手段と、前記第１の操作画面と前記第２の操作画面との表示を切り替える切替手段と、前記切替手段によって前記第２の操作画面から前記第１の操作画面に切り替えられた場合に、前記第１表示手段によって表示される第１の操作画面上に、前記第２表示手段によって表示される第２の操作画面を用いて設定された機能以外の機能に関する操作用画像を表示するように制御する表示制御手段とを有する画像形成装置である。
【００１１】
請求項８にかかる本発明は、複数の機能に関する設定についての操作を行うための複数の操作用画像を含む第１の操作画面を表示する第１表示ステップと、前記複数の機能のうちの一部の機能に関する設定についての操作を行うための操作用画像を含む第２の操作画面を表示する第２表示ステップと、前記第１の操作画面と前記第２の操作画面との表示を切り替える切替ステップと、前記切替手段によって前記第２の操作画面から前記第１の操作画面に切り替えられた場合に、前記第１表示手段によって表示される第１の操作画面上に、前記第２表示手段によって表示される第２の操作画面を用いて設定された機能以外の機能に関する操作用画像を表示するように制御する表示制御ステップとをコンピュータに実行させる表示プログラムである。
【発明の効果】
【００１２】
請求項１に係る本発明によれば、本構成を有していない場合と比較して、未設定の機能に関する操作を容易に行うことが可能な表示装置を提供できる。
【００１３】
請求項２に係る本発明によれば、請求項１に係る本発明により得られる効果に加えて、本構成を有していない場合と比較して、未設定の機能であって、利用者が設定を所望する可能性の高い機能に関する操作を容易に行うことができる。
【００１４】
請求項３に係る本発明によれば、請求項２に係る本発明により得られる効果に加えて、使用者が設定を所望する機能に関する操作用画像を優先的に表示できる。
【００１５】
請求項４に係る本発明によれば、請求項２に係る本発明により得られる効果に加えて、使用者の操作を要することなく、順位を設定できる。
【００１６】
請求項５に係る本発明によれば、請求項１から４のいずれかに係る本発明により得られる効果に加えて、本構成を有していない場合と比較して、第１の操作画面に多くの機能に関する操作用画像を表示できる。
また、請求項６に係る本発明によれば、請求項１から４のいずれかに係る本発明により得られる効果に加えて、本構成を有していない場合と比較して、第１の操作画面に多くの機能に関する操作用画像を表示できる。
【００１７】
請求項７に係る本発明によれば、本構成を有していない場合と比較して、小さな画像表示部に多くの操作用画像を表示可能な画像形成装置を提供できる。
【００１８】
請求項８に係る本発明によれば、本構成を有していない場合と比較して、未設定の機能に関する操作を容易に行うことが可能な表示プログラムを提供できる。
【図面の簡単な説明】
【００１９】
【図１】画像形成装置を示す図である。
【図２】図１に示した表示装置のハードウェア構成を例示する図である。
【図３】ＵＩ装置のハードウェア構成を例示する図である。
【図４】表示装置において動作する表示プログラムを示す図である。
【図５】表示プログラム２２において処理される情報を例示する図である
【図６】初期画面処理部の処理によって表示される初期画面を例示する図である。
【図７】通常操作画面処理部の処理によって表示される通常操作画面を例示する図である。
【図８】簡易操作画面処理部の処理によって表示される簡易操作画面を例示する図である。
【図９】順位設定画面処理部の処理によって表示される順位設定画面を例示する図である。
【図１０】表示プログラムの具体的な動作を説明する図である。
【図１１】表示プログラムの具体的な動作を説明する図である。
【図１２】通常操作画面表示設定画面を示す図である。
【図１３】応用設定領域のみが表示された通常操作画面を例示する図である。
【図１４】ファクス機能に関する通常操作画面を例示する図である。
【図１５】ファクス機能に関する簡易操作画面を例示する図である。
【図１６】簡易操作画面において、機能設定画像が触れられた場合の状態を示す図である。
【発明を実施するための形態】
【００２０】
以下、画像形成装置１０を説明する。
図１は、画像形成装置１０を示す図である。
画像形成装置１０は、印刷装置１２及び画像読取装置１４を有し、印刷装置１２は、例えば３段の記録媒体供給カセット１１６を有し、これら記録媒体供給カセット１１６のそれぞれには供給ヘッド１１８が設けられている。記録媒体供給カセット１１６の一つが選択されると、供給ヘッド１１８が作動して選択された記録媒体供給カセット１１６から記録媒体供給路１２０を介してプリントエンジン１２２に供給される。
また、画像形成装置１０は、ファクス機能（図示せず）を有してもよい。
【００２１】
プリントエンジン１２２は、イエロー、マゼンタ、シアン及びブラックの各感光体１２４が併設されていると共に、中間転写ベルト１２６が設けられている。
各感光体１２４の周囲には、帯電装置、露光装置、現像装置、一次転写装置及びクリーニング装置など（不図示）が配置され、各感光体１２４に形成されたトナー像が中間転写ベルト１２６に転写される。白黒設定された場合は、ブラックのみが作動可能であるようにされる。
中間転写ベルト１２６のトナー像は、二次転写ロールにより、送られてきた記録媒体に転写され、定着装置１３０により定着され、このトナー像が定着された記録媒体が記録媒体排出路１３２を通って排出部１３４に排出される。
【００２２】
ただし、両面印刷が設定された場合は、定着装置１３０により表面が定着された記録媒体は、記録媒体排出路１３２から反転装置１３６に送られ、この反転装置１３６で反転され、記録媒体反転路１３８に送られ、再び記録媒体供給路１２０に戻され、プリントエンジン１２２に送られて裏面の印刷がなされる。
【００２３】
画像読取装置１４は、両面原稿の読み取りが可能な自動原稿送り装置１４０を有し、この自動原稿送り装置１４０により原稿はプラテン１４２に送られ、このプラテン１４２上でＣＣＤ等からなる読取部１４４により原稿の画像が読み取られる。
自動原稿送り装置１４０に原稿がセットされたか否かを検出する原稿セット検出器１４６が設けられている。また、自動原稿送り装置１４０はプラテンカバーを兼ねており、このプラテンカバーを開けることにより原稿をプラテン１４２上に置くことができる。このプラテンカバーの開閉は、プラテンカバー開閉検出器１４８により検出できるようになっている。
また、この画像形成装置１０は、公衆回線へ接続されたファクシミリ用のモデムと、ＬＡＮ等のネットワークに接続されるネットワーク通信装置が設けられている。
【００２４】
表示装置２０は、画像形成装置１０と一体に、又はネットワークを介して設けられ、画像形成装置１０の処理内容を選択し、かつ表示するようになっている。
【００２５】
図２は、図１に示した表示装置２０のハードウェア構成を例示する図である。
図２に例示するように、表示装置２０は、ＣＰＵ１６４及びメモリ１６６などを含む制御装置１６２と、他の画像処理装置又は端末との通信を行うためのインタフェース部（ＩＦ）１６８と、記録装置１７０と、ユーザインターフェース装置（ＵＩ装置）２００とから構成される。
表示装置２０は、これらの構成部分により、ＵＩ装置２００を介して操作の内容を示す操作信号を受け入れ、印刷装置１２および画像読取装置１４の動作を制御し、ＵＩ装置２０の表示を制御する。
つまり、表示装置２０は、情報処理および他の画像処理装置又は端末との通信が可能なコンピュータとしてのハードウェア構成部分を有している。
また、以下の各図において、実質的に同じ構成部分および処理には同じ番号が付される。
なお、印刷装置１２および画像読取装置１４の動作を制御する構成部分については、表示装置２０と独立して設けられるように構成してもよい。
【００２６】
図３は、ＵＩ装置２００のハードウェア構成を例示する図である。
図３に例示するように、ＵＩ装置２００は、操作の開始を指示するための開始ボタン２０２と、数字を入力するためのテンキー２０４と、設定を解除するための解除ボタン２０６と、初期画面を表示するための初期画面表示ボタン２０８と、操作用画面を表示するタッチパネル等の画面表示部２１０とから構成される。
【００２７】
図４は、表示装置２０において動作する表示プログラム２２を示す図である。
また、図５は、表示プログラム２２において処理される情報を例示する図である。
また、図６〜図９は、表示プログラム２２の処理によって画面表示部２１０に表示される操作画面を例示する図である。
【００２８】
図４に示すように、表示プログラム２２は、初期画面処理部２２０、簡易操作画面処理部２３０、切替処理部２５０、通常操作画面処理部２６、および順位設定画面処理部２８から構成される。
表示プログラム２２は、たとえば、記憶媒体１７２（図２）を介して表示装置２０に供給され、記憶部１６６にロードされ、表示装置２２にインストールされたＯＳ（図示せず）上で、表示装置２２のハードウェア資源を具体的に利用して実行される。
【００２９】
初期画面処理部２２０は、初期画面表示制御部２２２、初期画面データベース（ＤＢ）２２４、初期画面操作受入部２２６、および初期画面操作分析部２２８から構成される。
初期画面処理部２２０において、初期画面表示制御部２２２は、表示装置２０が起動された場合または初期画面表示ボタン２０８が押下された場合に、初期画面ＤＢ２２４に記憶された初期画面情報に基づいて、図６に例示する初期画面を画面表示部２１０に表示するための処理を行う。
【００３０】
図５（Ａ）において、初期画面情報が例示されている。
図５（Ａ）に例示するように、初期画面情報は、通常操作画面の表示を選択するための通常操作画面選択情報と、簡易操作画面の表示を選択するための簡易操作画面選択情報と、順位設定画面の表示を選択するための順位設定画面選択情報とを含む。
【００３１】
ここで、通常操作画面とは、図７を用いて後述するように、コピーまたはファクス等の使用に際し設定されうる機能の全てについて、それらの機能に関する設定についての操作を行うための画像（以下、操作用画像と称する）を含む画面である。
一方、簡易操作画面とは、図８を用いて後述するように、通常操作画面に含まれる操作用画像に対応する機能のうち、必要最低限の機能に関する操作用画像のみを含む画面である。
また、順位設定画面とは、図９を用いて後述するように、通常操作画面の操作用画像の配置に関する設定を行うための画面である。
【００３２】
通常操作画面選択情報、簡易操作画面選択情報および順位設定画面選択情報は、それぞれ、各画面の識別子である画面識別子と、画像情報と、画像位置情報とを含む。
画像情報は、各画面に含まれる操作用画像を表示させるための情報であって、例えば、各操作用画像の画像データを含む。
画像位置情報は、その操作用画像を各画面のどの位置に表示するかを示す情報である。
【００３３】
ここで、初期画面処理部２２０の処理によって表示される初期画面について説明する。
図６は、初期画面処理部２２０の処理によって表示される初期画面３０を例示する図である。
初期画面３０は、通常操作画面を選択するための通常操作画面選択ボタン３００−１，３００−２、簡易操作画面を選択するための簡易操作画面選択ボタン３０２−１，３０２−２、および順位設定画面を選択するための順位設定画面選択ボタン３０４を含む。
なお、以下、通常操作画面選択ボタン３００−１，３００−２など、複数ある構成部分のいずれかを特定せずに示すときには、単に、通常操作画面選択ボタン３００などと略記することがある。
【００３４】
通常操作画面選択ボタン３００−１は、例えば「コピー」などの文字が付された操作用画像であり、画像形成装置１０のコピー（印刷）機能に関する通常操作画面を表示させるためのボタンである。
通常操作画面選択ボタン３００−２は、例えば「ファクス」などの文字が付された操作用画像であり、画像形成装置１０のファクス機能に関する通常操作画面を表示させるためのボタンである。
簡易操作画面選択ボタン３０２−１は、例えば「かんたんコピー」などの文字が付された操作用画像であり、コピー機能に関する簡易操作画面を表示させるためのボタンである。
簡易操作画面選択ボタン３０２−２は、例えば「かんたんファクス」などの文字が付された操作用画像であり、ファクス機能に関する簡易操作画面を表示させるためのボタンである。
順位設定画面選択ボタン３０４は、例えば「設定」などの文字が付された操作用画像であり、順位設定画面を表示させるためのボタンである。
【００３５】
初期画面表示制御部２２２（図４）は、通常操作画面選択情報に基づいて、通常操作画面選択ボタン３００を初期画面３０内の所定の位置に表示させるための処理を行う。
初期画面表示制御部２２２は、同様に、簡易操作画面選択情報に基づいて簡易操作画面選択ボタン３０２を初期画面３０内の所定の位置に表示させ、順位設定画面選択情報に基づいて順位設定画面選択ボタン３０４を初期画面３０内の所定の位置に表示させるための処理を行う。
初期画面操作受入部２２６は、画面表示部２１０から、使用者の初期画面に対する操作に関する情報を含む信号を受け入れる。
例えば、初期画面操作受入部２２６は、使用者が初期画面３０のどの位置に触れたかに関する位置情報を受け入れる。
【００３６】
初期画面操作分析部２２８は、画面表示部２１０からの位置情報と、初期画面情報の画像位置情報とに基づいて、使用者が触れた位置に対応する操作用画像を判断する。
つまり、初期画面操作分析部２２８は、使用者がどのボタンに触れたかを判断する。
そして、初期画面操作分析部２２８は、使用者が触れた位置に通常操作画面選択ボタン３００が表示されていると判断した場合には、通常操作画面処理部２６に対して通常操作画面を表示するように命令する。
同様に、初期画面操作分析部２２８は、使用者が触れた位置に簡易操作画面選択ボタン３０２が表示されていると判断した場合には、簡易操作画面処理部２３０に対して簡易操作画面を表示するように命令し、使用者が触れた位置に順位設定画面選択ボタン３０４が表示されていると判断した場合には、順位設定画面処理部２８に対して順位設定画面を表示するように命令する。
なお、本実施形態では、順位設定画面選択ボタン３０４を初期画面３０に表示するようにしたが、順位設定を含む各種設定を行うための設定画面を表示させるためのボタンを初期画面３０に表示させ、使用者がこのボタンに触れた場合に設定画面を表示させ、この設定画面に順位設定画面選択ボタン３０４を表示させるようにしてもよい。
【００３７】
通常操作画面処理部２６は、通常操作画面表示制御部２６０、通常操作画面ＤＢ２６２、通常操作画面操作受入部２６６、通常操作画面操作分析部２６８および設定状態更新部２７０から構成される。
通常操作画面処理部２６において、通常操作画面表示制御部２６０は、初期画面操作分析部２２８からの命令を受け入れた場合に、通常操作画面ＤＢ２６２に記憶された通常操作画面情報に基づいて、図７に例示する通常操作画面を画面表示部２１０に表示するための処理を行う。
【００３８】
図５（Ｂ）において、通常操作画面情報が例示されている。
図５（Ｂ）に例示するように、通常操作画面情報は、その通常操作画面の識別子である画面識別子と、機能＃１，機能＃２・・・の各機能に関する情報（機能＃１情報，機能＃２情報・・・またはこれらを総称して機能情報と称す）と、後述する優先順位情報とを有する。
【００３９】
機能情報は、各機能の識別子である機能識別子と、その機能に対応する操作用画像が表示される表示画面の識別子である表示画面識別子と、操作用画像を表示させるための画像情報と、その操作用画像を各画面のどの位置に表示するかを示す情報である画像位置情報と、機能パラメタと、設定状態情報とを含む。
機能パラメタは、各機能の設定についてのパラメタを示す情報であって、例えば、カラーモード選択機能であれば、「自動」，「フルカラー」，「白黒」等のパラメタを示す情報を含む。
設定状態情報は、上述した機能パラメタの内、どのパラメタについて設定されたかを示す情報である。
【００４０】
ここで、通常操作画面処理部２６によって表示される通常操作画面について説明する。
図７は、通常操作画面処理部２６の処理によって表示される通常操作画面３２を例示する図である。
通常操作画面３２は、タブ３２４−１〜３２４−５によって、複数の通常操作画面が表示されうるようになっており、例えば、タブ３２４−２が使用者によって触れられた場合には、画質調整に関する通常操作画面が表示される。
また、通常操作画面処理部２６によって最初に表示される画面（図７の例では「基本コピー」画面）に表示される通常操作画面３２は、基本設定領域３３０（図７において破線で囲まれた箇所）と応用設定領域３４０（図７において一点鎖線で囲まれた箇所）とを含む。
【００４１】
基本設定領域３３０は、例えばコピー機能であれば、コピー機能を実現するために通常必要となる機能の設定についての操作を行うための領域であって、操作用画像である機能設定画像３３２−１〜３３２−３を含む。
この基本設定領域３３０に表示される操作用画像は、画像形成装置１０の製造時に予め設定されるようにしてもよい。
図７の例においては、例えば、機能設定画像３３２−１は、倍率を選択するための操作用画像であり、倍率入力画像３３２−１ａおよび倍率選択画像３３２−１ｂを含む。
【００４２】
一方、応用設定領域３４０は、他の画面（図７の例では「画質調整画面」，「読み取り方法設定画面」，「出力方式設定画面」，「ジョブ編集画面」）を用いて設定される機能に関する操作用画像を表示する領域であり、上から順に、機能設定画像３４２−１〜３４２−４が表示される。
図７の例においては、機能設定画像３４２−１は、原稿の画質を設定するための操作用画像であり、機能設定画像３４２−２は、仕分け処理を設定するための操作用画像であり、機能設定画像３４２−３は、複数ページを１枚の用紙にまとめるための処理（「まとめて１枚処理」と称する）を設定するための操作用画像であり、機能設定画像３４２−４は、原稿および用紙の両面／片面の選択を行うための操作用画像である。
【００４３】
ここで、これら機能設定画像３４２−１〜３４２−４が表示される順序は、図５（Ｂ）に示した優先順位情報に基づいて決定され、この優先順位情報は、図９を用いて後述する順位設定画面を用いて作成できる。
優先順位情報は、順位とその順位に対応する機能との関係を示す情報であり、図７の例においては、１位に対応する機能は機能設定画像３４２−１に関する機能であり、４位に対応する機能は機能設定画像３４２−４に関する機能である。
また、図７の例においては、上位４位の機能に関する機能設定画像３４２−１〜３４２−４が表示されており、５位以下の機能に関する機能設定画像は表示されていない。
【００４４】
なお、基本設定領域３３０および応用設定領域３４０の表示割合は、使用者によって、適宜、変更可能である。
この表示割合が変更された場合、応用設定領域３４０に表示される機能設定画像３４２の数も変更される。
例えば、応用設定領域３４０の表示割合が２倍となった場合、応用設定領域３４０に表示される機能設定画像３４２の数も２倍となる。
【００４５】
通常操作画面表示制御部２６０（図４）は、機能情報に基づいて、機能設定画像３３２を、通常操作画面３２内の基本設定領域３３０の所定の位置に表示させるための処理を行う。
また、通常操作画面表示制御部２６０は、機能情報および優先順位情報に基づいて、機能設定画像３４２を、通常操作画面３２内の応用設定領域３４０の所定の位置に表示させるための処理を行う。
【００４６】
通常操作画面操作受入部２６６は、画面表示部２１０から、使用者の通常操作画面に対する操作に関する情報を含む信号を受け入れる。
例えば、通常操作画面受入部２６６は、使用者が通常操作画面３２のどの位置に触れたかに関する位置情報を受け入れる。
通常操作画面操作分析部２６８は、通常操作画面情報の画像位置情報に基づいて、使用者が触れた位置に対応する操作用画像および機能パラメタを判断する。
図７の例では、機能設定画像３３２−３の矢印Ａで示す位置に使用者が触れた場合、通常操作画面操作分析部２６８は、「カラーモード」設定機能の「白黒」パラメタが選択されたと判断する。
【００４７】
設定状態更新部２７０は、通常操作画面操作分析部２６８の判断に基づいて、通常操作画面情報に含まれる設定状態情報を更新する。
上記例では、設定状態更新部２７０は、「カラーモード」設定機能の「白黒」パラメタが選択された旨を示すように、設定状態情報を更新する。
通常操作画面表示制御部２６０は、通常操作画面操作分析部２６８の判断に基づいて、使用者が触れた位置に対応する画像（図７において矢印Ａで示す）の色を（例えば白色から黒色に）反転させる。
【００４８】
簡易操作画面処理部２３０は、簡易操作画面表示制御部２３２、簡易操作画面ＤＢ２３４、簡易操作画面操作受入部２３６、簡易操作画面操作分析部２３８および設定状態更新部２４０から構成される。
簡易操作画面処理部２３０において、簡易操作画面表示制御部２３２は、初期画面操作分析部２２８からの命令を受け入れた場合に、簡易操作画面ＤＢ２３４に記憶された簡易操作画面情報に基づいて、図８に例示する簡易操作画面を画面表示部２１０に表示するための処理を行う。
【００４９】
図５（Ｃ）において、簡易操作画面情報が例示されている。
図５（Ｃ）に示すように、簡易操作画面情報は、その簡易操作画面の識別子である画面識別子と、各機能情報とを含む。
機能情報は、各機能の識別子である機能識別子と、通常操作画面対応情報と、操作用画像を表示させるための画像情報と、その操作用画像を簡易操作画面のどの位置に表示するかを示す情報である画像位置情報と、機能パラメタと、設定状態情報とを含む。
通常操作画面対応情報は、各機能が、通常操作画面に表示される機能設定画像３３２，３４２に関する機能のうち、どの機能に対応するかを示す情報である。
機能パラメタは、各機能の設定についてのパラメタを示す情報であり、設定状態情報は、これらの機能パラメタの内、どのパラメタについて設定されたかを示す情報である。
なお、機能情報およびそれに含まれる機能パラメタの数は、通常操作画面情報と比較して少なくなるように構成されている。
【００５０】
ここで、簡易操作画面処理部２３０によって表示される簡易操作画面について説明する。
図８は、簡易操作画面処理部２３０の処理によって表示される簡易操作画面３５を例示する図である。
簡易操作画面３５は、機能設定画像３５２−１〜３５２−７および通常操作画面切替ボタン３５４を含む。
【００５１】
図８の例においては、例えば、機能設定画像３５２−４は、原稿および用紙の両面／片面の選択を行うための操作用画像であって、ボタン３５６−４ａ，３５６−４ｂ，３５６−４ｃを含む。
ボタン３５６−４ａは片面の原稿から片面コピーを行うための操作用画像であり、ボタン３５６−４ｂは片面の原稿から両面コピーを行うための操作用画像であり、ボタン３５６−４ｃは両面の原稿から両面コピーを行うための操作用画像である。
【００５２】
なお、図８の例において、機能設定画像３５２−４に関する機能情報に含まれる通常操作画面対応情報は、この機能が図７に示す機能設定画像３４２−４に対応することを示す。
同様に、機能設定画像３５２−６に関する機能情報に含まれる通常操作画面対応情報は、この機能が図７に示す機能設定画像３４２−２に対応することを示す。
通常操作画面切替ボタン３５４は、通常操作画面を表示させるための操作用画像であり、簡易操作画面に使用者が所望する機能に関する操作用画像が表示されていない場合等に、使用者によって触れられることによって、通常操作画面に表示が切り替わり、使用者は所望の設定を行うことができる。
【００５３】
簡易操作画面表示制御部２３２（図４）は、機能情報に基づいて、機能設定画像３５２を、簡易操作画面３５内の所定の位置に表示させるための処理を行う。
簡易操作画面操作受入部２３６は、画面表示部２１０から、使用者の簡易操作画面に対する操作に関する情報を含む信号を受け入れる。
例えば、簡易操作画面操作受入部２３６は、使用者が簡易操作画面３５のどの位置に触れたかに関する位置情報を受け入れる。
【００５４】
簡易操作画面操作分析部２３８は、簡易操作画面情報の画像位置情報に基づいて、使用者が触れた位置に対応する操作用画像および機能パラメタを判断する。
図８の例では、機能設定画像３５２−４の矢印Ｂで示す位置に使用者が触れた場合、簡易操作画面操作分析部２３８は、「両面／片面」設定機能の「片面→片面」パラメタが選択されたと判断する。
設定状態更新部２４０は、簡易操作画面操作分析部２３８の判断に基づいて、簡易操作画面情報に含まれる設定状態情報を更新する。
上記例では、設定状態更新部２４０は、「両面／片面」設定機能の「片面→片面」パラメタが選択された旨を示すように、設定状態情報を更新する。
【００５５】
簡易操作画面表示制御部２３２は、簡易操作画面操作分析部２３８の判断に基づいて、使用者が触れた位置に対応する画像（図８において矢印Ｂで示す）の色を（例えば白色から黒色に）反転させる。
一方、簡易操作画面操作分析部２３８が、簡易操作画面３５において通常操作画面切替ボタン３５４に対応する位置に触れたと判断した場合は、画面を切り替えるための処理をするための命令を切替処理部２５０に対して出力する。
【００５６】
切替処理部２５０は、画面切替制御部２５２、簡易操作画面状態分析部２５４および通常操作画面配置部２５６から構成される。
切替処理部２５０において、画面切替制御部２５２は、簡易操作画面操作分析部２３８からの命令を受け入れた場合に、簡易操作画面から通常操作画面に表示を切り替えるための処理を行う。
簡易操作画面状態分析部２５４は、簡易操作画面ＤＢ２３４に記憶された機能情報に含まれる設定状態情報に基づいて、簡易操作画面においてどの機能が設定（選択）されたかを判断し、判断結果に関する情報を通常操作画面配置部２５６に対して出力する。
この判断結果に関する情報は、通常操作画面対応情報と設定状態情報とを含む。
【００５７】
通常操作画面配置部２５６は、簡易操作画面状態分析部２５４からの情報と、通常操作画面ＤＢ２６２に記憶された優先順位情報とに基づいて、通常操作画面の応用設定領域に表示される操作用画像の配置位置を変更するための処理を行い、変更された配置に関する情報を、通常操作画面表示制御部２６０に対して出力する。
通常操作画面表示制御部２６０は、通常操作画面配置部２５６からの情報に基づいて、画像位置情報を更新し、通常操作画面を表示するための処理を行う。
【００５８】
具体的には、通常操作画面配置部２５６は、通常操作画面対応情報と設定状態情報とに基づいて、現在、応用設定領域３４０に表示されている機能設定画像３４２のうち、簡易操作画面３５を用いて設定された機能に対応する機能に関する機能設定画像３４２を、表示させないように処理する。
さらに、通常操作画面配置部２５６は、優先順位情報に基づいて、上記選択された機能を除いた上位の順位に対応する機能に関する機能設定画像３４２を表示させるように処理する。
図７および図８の例においては、簡易操作画面３５において機能設定画像３５２−４に関する「両面／片面」設定機能が設定された場合、通常操作画面３２の応用設定領域３４０において機能設定画像３４２−４の画像が削除され、次の順位の機能に関する機能設定画像３４２が表示される。
【００５９】
順位設定画面処理部２８（図４）は、順位設定画面表示制御部２８０、順位設定画面ＤＢ２８２、順位設定画面操作受入部２８４、順位設定画面操作分析部２８６および優先順位設定部２８８から構成される。
順位設定画面処理部２８において、順位設定画面表示制御部２８０は、初期画面操作分析部２２８からの命令を受け入れた場合に、順位設定画面ＤＢ２８２に記憶された順位設定画面情報に基づいて、図９に例示する順位設定画面を画面表示部２１０に表示するための処理を行う。
【００６０】
図５（Ｄ）において、順位設定画面情報が例示されている。
図５（Ｄ）に例示するように、順位設定画面情報は、機能リスト情報と、通常操作画面３２の応用設定領域３４０に機能設定画像３４２を表示させる優先順位を定めた順位情報と、順位設定画面に表示されるボタンに関するボタン画像情報と、順位設定画面に表示されるスクロールバーに関するスクロールバー画像情報とを含む。
機能リスト情報は、機能識別子と、その機能に関する画像に関する画像情報と、画像位置情報と、その機能が選択されたか否かを示す選択状態情報とを含む。
ボタン画像情報およびスクロールバー画像情報は、ボタン画像情報またはスクロールバー画像に関する画像情報と、画像の位置およびスクロールバーの位置を示す画像位置情報とを含む。
【００６１】
ここで、順位設定画面処理部２８によって表示される順位設定画面について説明する。
図９は、順位設定画面処理部２８の処理によって表示される順位設定画面３６を例示する図である。
順位設定画面３６は、機能リスト画像３６０、スクロールバー３６２、追加ボタン３６４、優先順位画像３６６、スクロールバー３６８、順位上昇ボタン３７０、順位下降ボタン３７２、削除ボタン３７４、取消ボタン３７６、および決定ボタン３７８を含む。
【００６２】
機能リスト画像３６０は、図７に例示した通常操作画面３２の応用設定領域３４０に表示されうる機能設定画像３４２に関する機能に関する機能ボタン３６０ａが列挙された画像であり、スクロールバー３６２に触れたままこれを上下させることによって、機能ボタン３６０ａの列を上下させることができるように構成されている。
優先順位画像３６６は、応用設定領域３４０に表示される機能の優先順位を示す画像であり、機能ボタン３６６ａが列挙されている。
図９の例では、「原稿の画質」調整機能の順位が１位であり、「仕分け」機能が２位である。
【００６３】
追加ボタン３６４は、機能リスト画像３６０に列挙された機能から、優先順位画像３６６に追加するためのボタンの画像である。
順位上昇ボタン３７０は、優先順位画像３６６に表示された機能の内で選択された機能について、順位を上昇させるためのボタンの画像であり、順位下降ボタン３７２は、順位を下降させるためのボタンの画像である。
削除ボタン３７４は、機能順位画像３６６から選択された機能を削除するためのボタンの画像である。
取消ボタン３７６は、設定を取り消すためのボタンの画像であり、決定ボタン３７８は、設定を決定するためのボタンの画像である。
使用者がこの決定ボタン３７８に触れると、初期画面が表示されるように構成されている。
【００６４】
順位設定画面表示制御部２８０（図４）は、図５（Ｄ)に例示した順位設定画面情報の機能リスト情報に基づいて機能リスト画像３６０を順位設定画面３６に表示させ、機能リスト情報および順位情報に基づいて、優先順位画像３６６を表示させる。
また、順位設定画面表示制御部２８０は、ボタン画像情報およびスクロールバー画像情報に基づいて、各ボタンの画像およびスクロールバーの画像を表示させる。
順位設定画面操作受入部２８４は、画像表示部２１０から、使用者の順位設定画面に対する操作に関する情報を含む信号を受け入れる。
例えば、順位設定画面操作受入部２８４は、使用者が順位設定画面３６のどの位置に触れたかに関する位置情報を受け入れる。
【００６５】
順位設定画面操作分析部２８６は、順位設定画面情報の画像位置情報に基づいて、使用者が触れた位置に対応する操作用画像を判断する。
つまり、順位設定画面操作分析部２８６は、使用者がどのボタンまたはスクロールバーに触れたかを判断する。
【００６６】
例えば、順位設定画面操作分析部２８６は、使用者が触れた位置に機能リスト画像３６０に含まれる機能ボタン３６０ａが表示されていると判断した場合には、順位設定画面ＤＢ２８２に記憶された順位設定画面情報の機能リスト情報に含まれる選択状態情報を、選択されている旨を示すように更新する。
また、順位設定画面操作分析部２８６は、使用者が触れた位置に追加ボタン３６４が表示されていると判断した場合には、機能リスト画像３６０において選択されていた機能に関する機能ボタン３６６ａを優先順位画像３６６に表示させるための処理を行い、さらに、その機能ボタン３６６ａを最下位に追加するように順位情報を更新する。
【００６７】
また、順位設定画面操作分析部２８６は、使用者が触れた位置に優先順位画像３６６に含まれる機能ボタン３６６ａが表示されていると判断した場合には、順位設定画面ＤＢ２８２に記憶された順位設定画面情報の機能リスト情報に含まれる選択状態情報を、選択されている旨を示すように更新する。
また、順位設定画面操作分析部２８６は、使用者が触れた位置に順位上昇ボタン３７０、順位下降ボタン３７２または削除ボタン３７４が表示されていると判断した場合には、優先順位画像３６６内において、選択されていた機能に関する機能ボタン３６６ａを上昇、下降または削除させるように表示し、順位情報もそれに伴って更新する。
【００６８】
また、順位設定画面操作分析部２８６は、使用者が触れた位置に取り消しボタン３７６が表示されていると判断した場合には、設定を取り消すための処理を行い、決定ボタン３７８が表示されていると判断した場合には、順位情報を優先順位設定部２８８に対して出力する。
さらに、順位設定画面操作分析部２８６が使用者が触れた位置に機能ボタンが表示されていると判断した場合には、設定画面表示制御部２８０は、使用者が触れた位置に対応する機能ボタンの色を（例えば白色から黒色に）反転させる。 
優先順位設定部２８８は、順位設定画面操作分析部２８６からの順位情報に基づいて、通常操作画面ＤＢ２６２に記憶された通常操作画面情報の優先順位情報を更新する。
【００６９】
次に、図１０〜図１１を用いて、表示プログラム２２の具体的な動作を説明する。
図１０に示すように、簡易操作画面３５において、使用者が、機能設定画像３５２−４のボタン３５６−４ｂ（「片面→両面」）に触れ、機能設定画像３５２−６のボタン３５６−６ｂ（「１ヶ所とじ」））に触れた場合を仮定する。
このとき、簡易操作画面操作分析部２３８は、画面表示部２１０からの位置情報から、機能設定画像３５２−４に関する機能が設定され、ボタン３５６−４ｂに関する機能パラメタが選択されたことを判断する。
同様に、簡易操作画面操作分析部２３８は、画面表示部２１０からの位置情報から、機能設定画像３５２−６に関する機能が設定され、ボタン３５６−６ｂに関する機能パラメタが選択されたことを判断する。
そして、設定状態更新部２４０は、簡易操作画面操作分析部２３８の判断結果に基づいて、簡易操作画面情報に含まれる、機能設定画像３５２−４，３５２−６に対応する機能情報の設定状態情報を更新する。
【００７０】
さらに、その後、使用者が、通常操作画面切替ボタン３５４に触れた場合、簡易操作画面操作分析部２３８は、画面表示部２１０からの位置情報から、通常操作画面切替ボタン３５４に対応する位置に触れたと判断し、画面を切り替えるための処理をするための命令を切替処理部２５０に対して出力する。
切替処理部２５０の簡易操作画面状態分析部２５４は、簡易操作画面情報を分析し、機能設定画像３５２−４，３５２−６に対応する機能に関する設定状態情報が設定済みである旨を示すことを判断する。
【００７１】
通常操作画面配置部２５６は、機能設定画像３５２−４，３５２−６に対応する機能情報の通常操作画面対応情報から、簡易操作画面３５の機能設定画像３５２−４，３５２−６が、それぞれ、通常操作画面３２の応用設定領域３４０に表示された機能設定画像３４２−４，３４２−２に対応することを判断する。
さらに、通常操作画面配置部２５６は、優先順位情報に基づいて、機能設定画像３４２−４，３４２−２に関する機能以外の優先順位が上位である機能を検索する。
そして、図１１に示すように、通常操作画面配置部２５６は、応用設定領域３４０において、機能設定画像３４２−４，３４２−２を表示せず、機能設定画像３４２−１，３４２−３，３４２−５，３４２−６を表示するように処理する。
このようにして、応用設定領域３４０において表示されていなかった５位以下の機能に関する機能設定画像３４２−５，３４２−６が表示される。
【００７２】
なお、簡易操作画面３５には、通常操作画面３２の基本設定領域３３０に表示された機能設定画像３３２に対応する機能設定画像３５２が表示されていることから、簡易操作画面３５から通常操作画面３２に遷移する場合に、基本設定領域３３０を表示させないようにすることも可能である。
図１２は、通常操作画面表示設定画面３８を示す図である。
通常操作画面表示設定画面３８は、簡易操作画面３５から通常操作画面３２への遷移後の表示について設定するための画面であって、選択ボタン３８２，３８４、取り消しボタン３８６および決定ボタン３８８を含む。
選択ボタン３８２は、基本設定領域３３０を表示させることを選択するためのボタンであり、選択ボタン３８４は、機能設定領域３３０を表示させず、さらに、応用設定領域３４０において機能パラメタを表示させることを選択するためのボタンである。
【００７３】
図１３は、応用設定領域３４０のみが表示された通常操作画面３９を例示する図である。
通常操作画面３９は、応用設定領域３４０のみが表示され、機能設定画像３４２−１〜３４２−４が、横に並んで表示される。
さらに、機能設定画像３４２−１〜３４２−４内において、機能パラメタ画像３４４−１〜３４４−４が表示されている。
図１２において、選択ボタン３８４が使用者によって触れられた後、決定ボタン３８８が触れられた場合、簡易操作画面３５において通常操作画面切替ボタン３５４が触れられると、図１３に示す通常操作画面３９が表示される。
【００７４】
上述した実施形態においては、コピー機能の例について説明したが、例えば、ファクス機能についても本実施形態が適用されうる。
図１４は、ファクス機能に関する通常操作画面４０を例示する図である。
図１４に例示するように、通常操作画面４０は、基本設定領域４１０および応用設定領域４２０を含み、基本設定領域４１０および応用設定領域４２０は上下に並んで表示されている。
基本設定領域４１０には機能設定画像４１２が表示され、応用設定領域４２０には、機能設定画像４２２−１〜４２２−４が表示されている。
【００７５】
図１５は、ファクス機能に関する簡易操作画面４４を例示する図である。
図１５に例示するように、簡易操作画面４４は、機能設定画像４４２−１〜４４２−４を含む。
また、機能設定画像４４２−２に関する機能情報に含まれる通常操作画面対応情報は、この機能が機能設定画像４２２−４に対応することを示し、機能設定画像４４２−３に関する機能情報に含まれる通常操作画面対応情報は、この機能が機能設定画像４２２−３に対応することを示し、機能設定画像４４２−４に関する機能情報に含まれる通常操作画面対応情報は、この機能が機能設定画像４２２−２に対応することを示す。
機能設定画像４４２−１は、ファクスの宛先をテンキー２０４を用いて入力できるようになっている。
【００７６】
図１６は、簡易操作画面４４において、機能設定画像４４２−２〜４４２−４が触れられた場合の状態を示す図である。
機能設定画像４４２−２〜４４２−４が触れられた場合、それぞれの機能についての機能パラメタに対応する機能パラメタ画像４４４−２〜４４４−４が表示される。
使用者は、これらの機能パラメタ画像４４４に触れることによって、各機能パラメタを選択することができる。
【００７７】
なお、上述した本実施形態においては、優先順位は順位設定画面を用いて使用者が設定できるとしたが、設定された機能の履歴を記憶する手段を設けることによって、その履歴に基づいて優先順位を設定するように構成してもよい。
また、上述した実施形態においては、画面表示部はタッチパネル等としたが、画像の表示手段と、操作を入力するための操作手段とは、別個であってもよい。
また、上記説明では、画像形成装置に本実施形態にかかる表示装置が設けられるとしたが、画像形成装置以外の、画面表示部を備える装置に、本実施形態にかかる表示装置を設けてもよい。
なお、上述した実施形態では、簡易操作画面から通常操作画面に表示が切り替わった場合に、簡易操作画面において使用者によって設定された機能以外の機能に関する操作用画像を通常操作画面に表示する（つまり簡易操作画面において使用者によって設定された機能に関する操作用画像を表示させない）としたが、簡易操作画面から通常操作画面に表示が切り替わった場合に、簡易操作画面において使用者によって設定された機能か否かに関わらず、簡易操作画面によって設定可能な機能以外の機能に関する操作用画像のみを通常操作画面に表示する（つまり簡易操作画面において設定可能な機能に関する操作用画像を全て表示させない）ようにしてもよい。
【符号の説明】
【００７８】
１０・・・画像形成装置，
２０・・・表示装置，
１６２・・・制御装置，
１６８・・・ＩＦ，
１７０・・・記録装置，
２００・・・ＵＩ装置，
２０２・・・開始ボタン，
２０４・・・テンキー，
２０６・・・解除ボタン，
２０８・・・初期画面表示ボタン，
２１０・・・画面表示部，
２２・・・表示プログラム，
２２０・・・初期画面処理部，
２２２・・・初期画面表示制御部，
２２４・・・初期画面ＤＢ，
２２６・・・初期画面操作受入部，
２２８・・・初期画面操作分析部，
２３０・・・簡易操作画面処理部，
２３２・・・簡易操作画面表示制御部，
２３４・・・簡易操作画面ＤＢ，
２３６・・・簡易操作画面操作受入部，
２３８・・・簡易操作画面操作分析部，
２４０・・・設定状態更新部，
２５０・・・切替処理部，
２５２・・・画面切替制御部，
２５４・・・簡易操作画面状態分析部，
２５６・・・通常操作画面配置部，
２６・・・通常操作画面処理部，
２６０・・・通常操作画面表示制御部，
２６２・・・通常操作画面ＤＢ，
２６６・・・通常操作画面操作受入部，
２６８・・・通常操作画面操作分析部，
２７０・・・設定状態更新部，
２８・・・順位設定画面処理部，
２８０・・・順位設定画面表示制御部，
２８２・・・順位設定画面ＤＢ，
２８４・・・順位設定画面操作受入部，
２８６・・・順位設定画面操作分析部，
２８８・・・優先順位設定部，
３０・・・初期画面，
３００・・・通常操作画面選択ボタン，
３０２・・・簡易操作画面選択ボタン，
３０４・・・順位設定画面選択ボタン，
３２・・・通常操作画面，
３３０・・・基本設定領域，
３３２・・・機能設定画像，
３４０・・・応用設定領域，
３４２・・・機能設定画像，
３５・・・簡易操作画面，
３５２・・・機能設定画像，
３５４・・・通常操作画面切替ボタン，
３６・・・順位設定画面，
３６０・・・機能リスト画像，
３６２・・・スクロールバー，
３６４・・・追加ボタン，
３６６・・・優先順位画像，
３６８・・・スクロールバー，
３７０・・・順位上昇ボタン，
３７２・・・順位下降ボタン，
３７４・・・削除ボタン，
３７６・・・取消ボタン，
【図１】
2011044011.tif 000003
【図２】
2011044011.tif 000004
【図３】
2011044011.tif 000005
【図４】
2011044011.tif 000006
【図５】
2011044011.tif 000007
【図６】
2011044011.tif 000008
【図７】
2011044011.tif 000009
【図８】
2011044011.tif 000010
【図９】
2011044011.tif 000011
【図１０】
2011044011.tif 000012
【図１１】
2011044011.tif 000013
【図１２】
2011044011.tif 000014
【図１３】
2011044011.tif 000015
【図１４】
2011044011.tif 000016
【図１５】
2011044011.tif 000017
【図１６】
2011044011.tif 000018